(57)【要約】【課題】畦を硬化して崩れを防止する。【解決手段】畦塗装置に、畦の法面（Ｂ１）及び畦際（Ｃ）を耕耘する耕耘爪（３，３…）と、この耕起された土を前記畦の法面（Ｂ１）へ塗り着ける塗着装置（５）を備える。また石灰を収納するホッパー（２５）と、このホッパー（２５）内の石灰（Ａ）を繰出す繰出装置（２６）を設ける。また前記繰出装置（２６）には、ホッパー（２５）内の石灰を耕耘前の畦法面（Ｂ１）に対し散布させる散布装置（２）を備える。畦塗作業時には、前記繰出された石灰を前記耕耘爪（３，３…）の回転により土内に攪拌させると共に、これら石灰を混入させた土を前記塗着装置（５）にて畦法面（Ｂ１）へ塗り着ける。【選択図】図２
2005296020.tif 000002
【特許請求の範囲】
【請求項１】
畦の法面（Ｂ１）及び畦際（Ｃ）を耕耘する耕耘爪（３，３…）と、この耕起された土を前記畦の法面（Ｂ１）へ塗り着ける塗着装置（５）を備える畦塗装置であって、同畦塗装置には石灰を収納するホッパー（２５）と、このホッパー（２５）内の石灰（Ａ）を繰出す繰出装置（２６）を設け、前記繰出された石灰を前記耕耘爪（３，３…）の回転により土内に攪拌させると共に、これら石灰を混入させた土を前記塗着装置（５）にて畦法面（Ｂ１）へ塗り着ける構成としたことを特徴とする畦塗装置。
【請求項２】
前記繰出装置（２６）には、ホッパー（２５）内の石灰を耕耘前の畦法面（Ｂ１）に対し散布させる散布装置（２）を備えたことを特徴とする請求項１に記載の畦塗装置。
【発明の詳細な説明】
【技術分野】
【０００１】
この発明は、圃場の畦面に土を塗着ける畦塗装置の構成に関する。
【背景技術】
【０００２】
従来、畦の法面及び畦際を耕耘する耕耘爪と、この耕起された土を前記畦の法面へ塗り着ける塗着装置を備える畦塗装置が知られている。
【特許文献１】特開平8-56403号
【発明の開示】
【発明が解決しようとする課題】
【０００３】
畦塗装置による畦塗では、畦塗直後の泥土が軟弱で流れ易く、又は水不足の場合は畦塗土壌の粘着性が低く、いずれも硬化し難く、不安定なものである。
【課題を解決するための手段】
【０００４】
上記課題に鑑みて請求項１に記載の発明は、畦の法面（Ｂ１）及び畦際（Ｃ）を耕耘する耕耘爪（３，３…）と、この耕起された土を前記畦の法面（Ｂ１）へ塗り着ける塗着装置（５）を備える畦塗装置であって、同畦塗装置には石灰を収納するホッパー（２５）と、このホッパー（２５）内の石灰（Ａ）を繰出す繰出装置（２６）を設け、前記繰出された石灰を前記耕耘爪（３，３…）の回転により土内に攪拌させると共に、これら石灰を混入させた土を前記塗着装置（５）にて畦法面（Ｂ１）へ塗り着ける構成としたことを特徴とする畦塗装置とした。
【０００５】
また請求項２の発明は、前記繰出装置（２６）には、ホッパー（２５）内の石灰を耕耘前の畦法面（Ｂ１）に対し散布させる散布装置（２）を備えたことを特徴とする請求項１に記載の畦塗装置とした。
【発明の効果】
【０００６】
請求項１の発明は、畦塗装置１による畦塗時に石灰Ａを混入された土壌を畦面Ｂに塗着するものであるから、塗着された土壌の硬化が速かに行われると共に、畦面Ｂの崩れを少くし、畦面Ｂ成形を長期間維持できる。また、石灰は畦塗前の土の耕耘と同時に攪拌されるために能率のよい作業を行うことができる。
【０００７】
また請求項２の発明は、石灰を耕耘前の畦法面（Ｂ１）に対し散布させるものであるので攪拌作用が良好である。
【発明を実施するための最良の形態】
【０００８】
以下、この発明を図面にもとづいて説明する。
図１〜図３に示す畦塗装置１は、畦際や畦法面Ｂ１を耕耘する耕耘爪３とこの畦法面Ｂ１や畦上面Ｂ２に畦土を塗着する塗着装置４とから構成され、四輪走行形態のトラクタ車体６の後側に三点リンク機構７に装着される。石灰散布装置２は、該畦塗装置１の上側に配置されて、耕耘爪３の連動系の一部から伝動されて生石灰を繰出散布することができる。この石灰散布装置２の散布ホース８が前記耕耘爪３の前側に散布ように設けられる。
【０００９】
９は車体６側のリフトアーム、１０は後車輪、１１はロワリンク、１２はリフトアーム９とロワリンク１１とを連結するリフトロッド、１３はＰＴＯ軸１４を覆うＰＴＯカバー、１５は作業フレームで、中央部には入力ケース１６を有して該ＰＴＯ軸１４から連動される伝動ギヤを内装する。この入力ケース１６の左右両側部にロワピンアーム１７が設けられて、前記ロワリンク１１の後端が連結されて、畦塗装置１が装着される。入力ケース１６上にはトップピンアーム１８が設けられて、三点リンク機構７のトップリンクが連結される。  
【００１０】
前記作業フレーム１５の一側に、前記耕耘爪３を有する耕耘軸１９を回転連動する伝動機構を内装の伝動ケース２０と、畦土を塗着する塗着装置４を回転連動するための伝動機構を内装の伝動ケース２１とを設ける。又、この作業フレーム１５の側端には、伝動軸２２の先端に固定して回転連動するプーリ２３を設け、作業フレーム１５上に装着の石灰散布装置２の繰出軸２４を伝動する構成である。
【００１１】
石灰散布装置２は、生石灰を収容するホッパー２５と、このホッパー２５の生石灰を繰出す繰出装置２６や、この繰出される生石灰を散布ホース８を通して耕耘前の土壌面に噴出案内して散布するブロワー（図面省略）等から構成される。これら繰出装置２６等が該散布軸２４によって連動される。耕耘爪３は、前記畦面Ｂの畦法面Ｂ１と、この畦法面Ｂ１の下端部の畦際Ｃ部の土壌面を耕耘することができる形態とするが、畦上面Ｂ２をも同時耕耘する構成とすることもできる。又、耕耘爪３の形体は、なた爪、普通爪、螺旋形体の爪等が、砕土性及び撹拌性があって好敵である。前記散布ホース８から噴出された生石灰を畦面Ｂに散布させた直後、この耕耘爪３の回転で耕耘しながら撹拌混合する。
【００１２】
前記塗着装置４は、円錘形状の塗着ディスク５と、この外側頂部側にロール形体の塗着ロール２７とから形成されて、伝動ケース２１に軸装の回転軸２８に固定される。この塗着装置４によって耕耘爪３で耕耘された畦面Ｂ上の生石灰混合の畦土を鎮圧し塗着する。３４はカバーで、該耕耘爪３や塗着装置４等の上部を覆うものである。
【００１３】
畦塗装置１を車体６に対して下降させて走行推進させる。ＰＴＯ軸１４の駆動によって耕耘爪３、塗着装置４、及び石灰散布装置２等が伝動される。繰出装置２６によってホッパー２５内の生石灰が繰出されて、散布ホース８を通して畦面Ｂ乃至畦際Ｃに散布される。この生石灰の散布された畦面Ｂ等は、回転する耕耘爪３によって耕耘され、撹拌混合される。
【００１４】
このようにして生石灰を混合された耕耘土壌は、塗着ディスク５や塗着ロール２７によって畦面Ｂに塗着される。この畦面Ｂに塗着された畦土は、生石灰に硬化されて、雨水等によって流され難く、長い期間に亘って崩れ難い畦面を形成することができる。
【００１５】
図４〜図６に基づいて、上例と異なる塗着装置について説明する。
前記塗着装置４の塗着ディスク５を、拡縮可能にして、円錐形状の傾斜各αを変えることができ、畦法面Ｂ１の傾斜面に適応させるものである。塗着ディスク５は、円錐面方向に等分角毎に分割した形態のディスク片２９を形成する。この各ディスク片２９は、頂部側を塗着ロール２７の内端部にピン３０で支持し、拡端側の内面に揺動ロッド３１を連結する。この揺動ロッド３１の先端を回転軸２８に嵌合のスライダー３２に連結する。各ディスク片２９は隣接辺部を相互に重合させて、該スライダー３２を回転軸２８に沿って移動して、該塗着ディスク５の開角度βを変えることができる。又、該各ディスク片２９の傾斜角αは、スライダー３２の移動をセットボルト３３の締付け位置固定を変更することで行なう。
【図面の簡単な説明】
【００１６】
【図１】畦塗装置部の平面図。
【図２】その背面図。
【図３】その側面図。
【図４】別形態の塗着装置の平面図。
【図５】その一部の断面図。
【図６】その側面図。
【符号の説明】
【００１７】
１   畦塗装置
２   石灰散布装置
３   耕耘爪
４   塗着装置
５   塗着ディスク
Ａ   生石灰
Ｂ   畦面
Ｂ１ 畦法面
Ｂ２ 畦上面
【図１】
2005296020.tif 000003
【図２】
2005296020.tif 000004
【図３】
2005296020.tif 000005
【図４】
2005296020.tif 000006
【図５】
2005296020.tif 000007
【図６】
2005296020.tif 000008